(57)【要約】【課題】電源の最大出力の低下を防ぎながら、選択飽和パルスの連続照射を可能にするＭＲＩ装置を提供する。【解決手段】送信コイルは複数チャンネルを含み、電源は系統が複数ある。系統は、チャンネルの１以上にそれぞれ接続され、かつ、デューティ比に応じて最大出力に制限がある。このような系統から複数のチャンネルに順にそれぞれ高周波電力パルスを供給し、複数のチャンネルから順に高周波磁場パルスを照射させることにより送信コイル全体として所定値以下の非照射時間で複数発連続的に高周波磁場パルスを照射させた場合に、各系統のデューティ比が所定値以下になるように、系統の数が設定されている。【選択図】  図３
2018183292.tif 000002
【特許請求の範囲】
【請求項１】
被検体に高周波磁場パルスを照射する送信コイルと、前記送信コイルに接続されて高周波電力パルスを供給する電源とを有し、
前記送信コイルは、複数チャンネルを含み、
前記電源は、系統が複数あり、前記系統は、前記チャンネルの１以上にそれぞれ接続され、かつ、デューティ比に応じて最大出力に制限があり、
前記系統から複数の前記チャンネルに順にそれぞれ前記高周波電力パルスを供給し、複数の前記チャンネルから順に前記高周波磁場パルスを照射させることにより前記送信コイル全体として所定値以下の非照射時間で複数発連続的に前記高周波磁場パルスを照射させた場合に、前記各系統のデューティ比が所定値以下になるように、前記系統の数が設定されていることを特徴とする磁気共鳴撮像装置。
【請求項２】
被検体に高周波磁場パルスを照射する送信コイルと、前記送信コイルに接続されて高周波電力パルスを供給する電源とを有し、
前記送信コイルは、複数チャンネルを含み、
前記電源は、系統が複数あり、前記系統は、前記チャンネルにそれぞれ接続され、かつ、デューティ比に応じて最大出力に制限があり、
前記系統から複数の前記チャンネルに順にそれぞれ前記高周波電力パルスを供給し、複数の前記チャンネルから順に前記高周波磁場パルスを照射させることにより前記送信コイル全体として所定値以下の非照射時間で複数発連続的に前記高周波磁場パルスを照射させた場合に、前記チャンネルに供給される前記高周波電力パルスのデューティ比が所定値以下になるように、前記チャンネル数が設定されていることを特徴とする磁気共鳴撮像装置。
【請求項３】
請求項１または２に記載の磁気共鳴撮像装置であって、前記デューティ比は、２５％以下であることを特徴とする磁気共鳴撮像装置。
【請求項４】
被検体に高周波磁場パルスを照射する送信コイルと、前記送信コイルに接続されて高周波電力パルスを供給する電源とを有し、
前記電源は、４以上の系統を有し、
前記送信コイルは、４以上のチャンネルを含み、前記チャンネルごとに前記系統に接続され、
前記４以上のチャンネルの各チャンネルから順に所定値以下の非照射時間で前記高周波磁場パルスを照射することにより、前記送信コイル全体として前記高周波磁場パルスを複数発連続的に照射することを特徴とする磁気共鳴撮像装置。
【請求項５】
被検体に高周波磁場パルスを照射する送信コイルと、前記送信コイルに接続されて高周波電力パルスを供給する電源と、選択部とを有し、
前記送信コイルは、複数チャンネルを含み、
前記電源は、系統が複数あり、前記系統は、前記チャンネルにそれぞれ接続され、かつ、デューティ比に応じて最大出力に制限があり、
前記系統から複数の前記チャンネルに順にそれぞれ前記高周波電力パルスを供給し、複数の前記チャンネルから順に前記高周波磁場パルスを照射させることにより前記送信コイル全体として所定値以下の非照射時間で複数発連続的に前記高周波磁場パルスを照射させた場合に、前記選択部は、前記チャンネルに供給される前記高周波電力パルスのデューティ比が所定値以下になるように、前記高周波電力パルスを供給するチャンネル数を設定することを特徴とする磁気共鳴撮像装置。
【請求項６】
請求項１、２、４および５のいずれか１項に記載の磁気共鳴撮像装置であって、前記高周波磁場パルスは、前記被検体に含まれる所定の共鳴周波数のプロトンを選択的に飽和させるために照射される選択飽和パルスであることを特徴とする磁気共鳴撮像装置。
【請求項７】
請求項１、２、４および５のいずれか１項に記載の磁気共鳴撮像装置であって、
前記高周波磁場パルスの高周波磁場分布の均一度を高めるために、前記高周波磁場パルスの振幅および位相の少なくとも一方を調整する演算部をさらに有し、
前記演算部は、前記複数のチャンネルから１チャンネルずつ順番に送信を行う際に、４つ以上の所定の数の連続照射された前記高周波磁場パルスを１セットとし、この１セットの高周波磁場パルスの高周波磁場分布から均一度指標を算出し、前記均一度指標に基づいて用いて前記高周波磁場パルスの振幅および位相の少なくとも一方を調整することを特徴とする磁気共鳴撮像装置。
【請求項８】
請求項７に記載の磁気共鳴撮像装置であって、前記演算部は、前記均一度指標として、前記各高周波磁場パルスの高周波磁場分布の絶対値を足し合わせ、得られた絶対値和の標準偏差もしくは最大値と最小値を求めることを特徴とする磁気共鳴撮像装置。
【請求項９】
被検体に高周波磁場パルスを照射する送信コイルと、前記送信コイルに接続されて高周波電力パルスを供給する電源とを有し、
前記送信コイルは、４以上のチャンネルを含み、２チャンネル以上の複数チャンネルを１セットとする複数のセットを有し、
前記電源は、系統が複数あり、前記系統は、前記チャンネルの１以上にそれぞれ接続され、かつ、デューティ比に応じて最大出力に制限があり、
前記１セットの前記複数チャンネルに同時に前記系統から前記高周波電力パルスを供給し、前記１セットの複数のチャンネルから同時に前記高周波磁場パルスを照射する動作を、前記セットごとに順に行うことにより、前記送信コイル全体として所定値以下の非照射時間で、前記高周波磁場パルスの同時照射を複数回連続的に行った場合に、前記各系統のデューティ比が所定値以下になるように、前記系統の数が設定されていることを特徴とする磁気共鳴撮像装置。
【請求項１０】
請求項９に記載の磁気共鳴撮像装置であって、
前記高周波磁場パルスの高周波磁場分布の均一度を高めるために、前記高周波磁場パルスの振幅および位相の少なくとも一方を調整する演算部をさらに有し、
前記演算部は、前記１セット内の前記複数のチャンネルからそれぞれ照射される高周波磁場パルスの高周波磁場分布から均一度指標を算出し、前記均一度指標に基づいて用いて前記高周波磁場パルスの振幅および位相の少なくとも一方を調整することを特徴とする磁気共鳴撮像装置。
【発明の詳細な説明】
【技術分野】
【０００１】
本発明は、磁気共鳴撮像装置における磁化移動法または飽和移動法を用いた計測技術に関する。
【背景技術】
【０００２】
磁気共鳴撮像（ＭＲＩ：Magnetic Resonance Imaging）装置は、強く安定した磁場（静磁場）中に置かれた被検体に含まれる水素原子核が、特定周波数の電磁波（高周波磁場）に共鳴する核磁気共鳴現象を利用し、被検体内部の情報を画像化する診断装置である。生体で検出できる水素原子核からの信号の殆どは、水から得られるものである。生体組織内の水密度や核磁気共鳴状態の変化速度（緩和時間）など様々な要因によって水の信号強度が変化する為、疾患等によって生じた生体内組織の構造変化や性状変化などの情報を水の信号の強度変化として計測して画像化することが可能である。検出対象とする情報の種類に応じて、様々なＭＲ撮像法が提案されている。
【０００３】
近年、化学交換飽和移動（Chemical Exchange dependent Saturation Transfer：ＣＥＳＴ）イメージングと呼ばれるＭＲ撮像法が注目を集めており、生体内化合物（代謝物質）のマッピングやｐＨ等の生体内情報の検出が可能に成ると期待されている。このＣＥＳＴイメージングは、磁化移動法や飽和移動法として以前より知られていたコントラスト原理に基づく撮像法である。従来の代謝物質計測法であるＭＲＳ（Magnetic Resonance Spectroscopy）やＭＲＳＩ（Magnetic Resonance Spectroscopic Imaging）が低濃度物質である生体内代謝物質に関する情報を直接検出対象としているのに対して、ＣＥＳＴイメージングは高濃度物質である水の信号変化を通じて、間接的に高感度に生体内代謝物質が観測できる方法である。
【０００４】
ＣＥＳＴイメージングの具体的な計測方法としては、まずプリパルスとして、対象とする化合物に含まれる化学交換可能なプロトンの共鳴周波数をもつ高周波磁場パルス（選択飽和パルス）を複数発被検体に照射（狭帯域照射）し、化学交換可能なプロトンを飽和状態とさせる。例えば、パルス長３５ｍｓのガウス型パルスを選択飽和パルスとして４０発被検体に照射する。次に、選択的に飽和状態にされたプロトンが、化学交換によって周囲の自由水のプロトンと入れ替わり、自由水プロトンからの磁気共鳴信号が低下（ネガティブコントラスト）するので、それを通常のＭＲＩパルスシーケンス（例えば１ショット２次元ファーストスピンエコー法のパルスシーケンス）により計測する。この計測を、選択飽和パルスの照射周波数を連続的に変化させながら繰り返すことにより、対象とする化合物に含まれる化学変換可能なプロトンの共鳴周波数と自由水の共鳴周波数とにおいて信号低下を示す二峰性（多峰性）の信号変化曲線（Ｚスペクトル）を得ることができる。
【０００５】
例えば、ＣＥＳＴシーケンスを用いて鶏卵の卵白に含まれるＡｍｉｄｅ基プロトンを計測する場合、プリパルス（選択飽和パルス）の送信周波数を「卵白に含まれるＡｍｉｄｅ基プロトンの共鳴周波数（平均値）である＋３．５  ｐｐｍ」に設定し、磁気共鳴信号の低下を計測する。この計測を選択飽和パルスの送信周波数を連続的に変化させながら繰り返すことにより、Ａｍｉｄｅ基プロトンの共鳴周波数「＋３．５ｐｐｍ」と自由水プロトンの共鳴周波数「０ｐｐｍ」とで信号低下を示す左右非対称な変化特性を有するＺスペクトルが得られる。
【０００６】
また、ＣＥＳＴシーケンスを用いて鶏卵の卵白に含まれるＡｍｉｄｅ基プロトンを計測する場合、選択飽和パルスの送信周波数が−３．５  ｐｐｍ時と＋３．５  ｐｐｍ時での信号の磁気共鳴信号の差分信号であるＡＰＴ(Amide Proton Transfer)信号を用いて、ＡＰＴ強調画像と呼ばれる画像を生成することも可能である。ＡＰＴ信号は、式（１）で表される。
（数１）
ＡＰＴ信号＝（Ｓｓａｔ−３．５  ｐｐｍ−Ｓｓａｔ＋３．５  ｐｐｍ）／Ｓ０        ・・・（１）
ここで、Ｓｓａｔ−３．５  ｐｐｍとＳｓａｔ＋３．５  ｐｐｍは、それぞれ飽和パルスの送信周波数が−３．５  ｐｐｍ時と＋３．５  ｐｐｍ時に計測された磁気共鳴信号であり、Ｓ０は飽和パルスをオフにして撮像した信号である。
【０００７】
鶏卵についてＣＥＳＴイメージングを行ってＡＰＴ強調画像を得た場合、ＡＰＴ強調画像において、卵白の部分にのみ強い信号値を示す画素が見られ、ＡＰＴに起因する信号増加がＡｍｉｄｅ基プロトンを含む卵白部分でのみ生じていることを確認できる。
【０００８】
ＣＥＳＴイメージングで得られる磁気共鳴信号の強度は、完全な飽和状態に到る迄は選択飽和パルスの照射エネルギーに比例して低減するため、選択飽和パルスとして比較的照射時間の長いパルスが多数送信される。このとき、選択飽和パルスの送信間隔において非送信時間（デッドタイム）をできるだけ発生させないようにすることが望ましいため、非特許文献１には、送信コイルとして２チャンネル独立駆動型コイルを用い、各チャンネルを別々の電源装置に接続し、２チャンネルのコイルから交互送信を行わせる構成が開示されている。
【先行技術文献】
【非特許文献】
【０００９】
【非特許文献１】Ｊ．  Ｋｅｕｐｐ  ｅｔ  ａｌ．、Ｐｒｏｃ．  Ｉｎｔｌ．  Ｓｏｃ．  Ｍａｇ．  Ｒｅｓｏｎ．  Ｍｅｄ．、１９、２０１１．
【発明の開示】
【発明が解決しようとする課題】
【００１０】
上述したように、化学交換可能なプロトンの信号強度は、選択飽和パルスの照射エネルギーに比例して低減（飽和）するため、短時間で完全な飽和状態にするためには、照射エネルギーの大きな選択飽和パルスをデッドタイム（非照射時間）をほとんどなくして連続的に照射することが望ましい。
【００１１】
しかしながら、一般的なＭＲＩ装置の高周波電源は、エネルギーがあまり大きくない高周波パルスを送信コイルから連続的に照射させることはできるが、大電力の高周波パルスをデッドタイムをほどんどなくして連続的に照射させる仕様には設計されていない。そのため、一般的なＭＲＩ装置用の高周波電源は、ＣＥＳＴイメージング用の選択飽和パルス用の高周波電力パルスを連続的に出力させると、徐々に出力が低下する傾向がある。このように高周波電源の出力が徐々に低減すると、所望のエネルギーの選択飽和パルスを照射することができず、化学交換可能なプロトンを所定の時間内に飽和させることができない。
【００１２】
本発明の目的は、電源の最大出力の低下を防ぎながら、選択飽和パルスの連続照射を可能にするＭＲＩ装置を提供することにある。
【課題を解決するための手段】
【００１３】
上記目的を達成するために、本発明のＭＲＩ装置は、被検体に高周波磁場パルスを照射する送信コイルと、送信コイルに接続されて高周波電力パルスを供給する電源とを有する。送信コイルは、複数チャンネルを含み、電源は、系統が複数あり、系統は、チャンネルの１以上にそれぞれ接続され、かつ、デューティ比に応じて最大出力に制限がある。このような系統から複数のチャンネルに順にそれぞれ高周波電力パルスを供給し、複数のチャンネルから順に高周波磁場パルスを照射させることにより送信コイル全体として所定値以下の非照射時間で複数発連続的に高周波磁場パルスを照射させた場合に、各系統のデューティ比が所定値以下になるように、系統の数が設定されている。
【発明の効果】
【００１４】
本発明によれば、電源の最大出力の低下を防ぎながら、選択飽和パルスの連続照射を可能にするＭＲＩ装置を提供することができる。
【図面の簡単な説明】
【００１５】
【図１】本発明の一実施形態のＭＲＩ装置の構成を示すブロック図である。
【図２】（ａ）は、実施形態の送信コイルの一例であって、４つのコイルが４チャンネルを構成している４チャンネルコイルと、それぞれのチャンネルに接続された電源の系統を示す図であり、（ｂ）は、４つのエレメントが１つのチャンネルとして同期して動作を行う４チャンネルコイルを示す図である。
【図３】（ａ）は、比較例の４チャンネルコイルの全チャンネルから選択飽和パルスの同時照射を行う場合の、チャンネル毎の出力パルスを示すパルスシーケンスの図であり、（ｂ）は、本実施形態の４チャンネルコイルを用いて各チャンネルから順繰りに選択飽和パルスを照射する場合の、チャンネル毎の出力パルスを示すパルスシーケンスの図であり、（ｃ）は、本実施形態の４チャンネルコイルを用いて、２チャンネルづつ交互送信する場合の、チャンネル毎の出力パルスを示すパルスシーケンスの図である。
【図４】（ａ）は、実施形態の水平磁場方式のＭＲＩ装置の外観図であり、（ｂ）は、実施形態の垂直磁場方式のＭＲＩ装置の外観図であり、（ｃ）は、実施形態の開放感を高めたＭＲＩ装置の外観図である。
【図５】ＣＥＳＴパルスシーケンスの一例を示す図である。
【図６】本実施形態を実施する際のフローチャートである。
【図７】本実施形態を実施する際の操作者から入力を受け付ける表示装置での表示画面例を示す図である。
【図８】(ａ)および（ｂ）は比較例の、（ｃ）〜（ｆ）は実施例の、選択飽和パルスの磁場分布をそれぞれ示す図である。
【発明を実施するための形態】
【００１６】
本発明の一実施形態について説明する。
【００１７】
＜＜第１の実施形態＞＞
以下、本発明の第１の実施形態について図面を参照して説明する。
【００１８】
第１の実施形態のＭＲＩ装置は、図１に示したように、被検体１に高周波磁場パルスを照射する送信コイル５と、送信コイルに接続されて高周波電力パルスを供給する電源７とを少なくとも備えている。送信コイル５は、例えば図２（ａ）に示すように、複数チャンネル５−１〜５−４を含む。電源７は、複数の系統（例えば、７−１〜７−４）を有する。系統７−１〜７−４の数は、複数であれば、チャンネル５−１〜５−４の数と異なっていてもよい。系統７−１〜７−４は、チャンネル５−１〜５−４の１以上にそれぞれ接続されている。また、系統７−１〜７−４は、デューティ比に応じて最大出力に制限がある。
【００１９】
なお、ここでいう系統７−１〜７−４は、それぞれの出力値が相互に影響を与えない、すなわち、一つの系統が最大出力を出力中に、他の系統から最大出力を出力できる構造であればよい。よって、各系統が電気的に完全に独立な構成であってもよいし、一部が共有された構造であってもよい。
【００２０】
系統７−１〜７−４は、接続されているチャンネルにそれぞれ高周波電力パルスを供給する。このとき、例えば図３（ｂ）に示すように、送信コイル５全体として、所定値以下の非照射時間ＴＤで複数発連続的に高周波磁場パルスが照射されるように、系統７−１〜７−４から接続されているチャンネル（５−１〜５−４）に高周波電力パルスを供給した場合、各系統７−１〜７−４のデューティ比が所定値以下になるように、系統７−１〜７−４の数が設定されている。言い換えるならば、各チャンネル（５−１〜５−４）に供給される高周波電力パルスのデューティ比が、図３（ｂ）のように所定値以下になるようにチャンネル（５−１〜５−４）の数が設定されている。上述のデューティ比は、２５％以下であることが望ましい。
【００２１】
このように、本実施形態のＭＲＩ装置では、電源の系統から出力され、チャンネルに入力される高周波電力パルスのデューティ比に依存して、電源の系統の最大出力が変化することに着目し、デューティ比を所定値以下にして最大出力の低減を抑制する。その際、本実施形態では、高周波磁場パルスの非照射時間を増加させるのではなく、送信コイルのチャンネル数（系統数）を増加させる構成とする。これにより、ＣＥＳＴイメージングの選択飽和パルスのような大きなエネルギーの高周波磁場パルスを、送信コイル５全体として、複数発連続的に照射できる。
【００２２】
通常の高周波用電源７は、デューティ比（＝τ／Ｔ，ただし、Ｔは、高周波電力パルスを連続送信する場合の１周期の時間、τは、高周波電力パルスの連続送信時間）の上限を５０〜９０％程度としている仕様のものが多い。しかしながら実際には、この上限は出力強度に依存し、ＣＥＳＴイメージング用の選択飽和照射パルスのように、エネルギーの大きな高周波磁場パルスを複数発連続送信させる場合には、出力可能な最大出力はデューティ比によって上限が決まる。出力可能な最大出力とデューティ比との関係の一例を表１に示す。表１から明らかなようにデューティ比が大きくなると、最大出力が大きく低下する。このため、大きなデューティ比で大出力の高周波電力パルスを電源から出力させると、実際には次第に出力エネルギーが低下してしまう。具体的には、表１に示した電源では、デューティ比１０％の場合の最大出力を１００％とした場合、デューティ比５０％の最大出力は、１０％にまで低下する。
【表１】
2018183292.tif 000003
【００２３】
本実施形態のＭＲＩ装置では、この現象に考慮し、各系統（７−１〜７−４）のデューティ比が所定値以下になるように、系統（７−１〜７−４）の数が設定されているため、個々の系統のデューティ比を所定値以下に抑制でき、各系統（７−１〜７−４）からチャンネル（５−１〜５−４）に必要な出力の高周波電力パルスを出力することができる。これにより、ＣＥＳＴイメージングの選択飽和パルスとして所望するエネルギーの高周波磁場パルスを図３（ｂ）のように、送信コイル５全体として複数発連続的に照射することができる。
【００２４】
本実施形態のＭＲＩ装置では、チャンネル（５−１〜５−４）の数および系統（７−１〜７−４）の数は、設計時に決定された固定の数であってもよいし、複数のチャンネルおよび系統の中から、所定のデューティ比の条件を満たすように、系統から高周波電力パルスを供給するチャンネルを選択部（後述する計算機９）が選択する構成であってもよい。チャンネル数および系統数が設計時に決定された固定数とする構成である場合、一例としては、系統数およびチャンネル数をそれぞれ４以上とし、チャンネルごとに系統に接続されている構成とする。また、系統から高周波電力パルスを供給するチャンネルを選択部（後述する計算機９）が選択する構成とする場合、一例としては、送信コイル５は複数チャンネルを含み、電源７は系統が複数あり、系統はチャンネルにそれぞれ接続された構成とし、選択部が、チャンネルに供給される高周波電力パルスのデューティ比が所定値以下になるように、系統から高周波電力パルスを供給するチャンネル数を設定するように構成する。
【００２５】
以下、本実施形態のＭＲＩ装置の全体の構造について説明する。
【００２６】
図１は、本実施形態のＭＲＩ装置の構成を示すブロック図である。ＭＲＩ装置は、上述した送信コイル５および電源７の他に、被検体１が置かれる空間に静磁場を発生する静磁場コイル２と、互いに直交する３方向の傾斜磁場を与えるための傾斜磁場コイル３と、被検体１から発生する磁気共鳴信号を受信する受信用高周波コイル６（以下、単に受信コイルという）と、静磁場均一度を調整するシムコイル４と、を備える。なお、シムコイル４は、必ずしも備えていなくてもよい。
【００２７】
静磁場コイル２は、ＭＲＩ装置の構造に応じて、種々の形態のものが採用される。例えば、図４（ａ）は、静磁場コイル２として、ソレノイドコイル（トンネル型磁石）を用いて静磁場を発生する水平磁場方式のＭＲＩ装置１００の例である。図４（ｂ）は、開放感を高めるために磁石（静磁場コイル２）を上下に分離したハンバーガー型（オープン型）の垂直磁場方式のＭＲＩ装置２００の例である。また、図４（ｃ）は、図４（ａ）と同じトンネル型磁石（静磁場コイル２）を用いるＭＲＩ装置であるが、磁石の奥行を短くし且つ斜めに傾けることによって、開放感を高めたＭＲＩ装置３００の例である。なお、これらは一例であり、本実施形態のＭＲＩ装置はこれらの形態に限定されるものではなく、装置の形態やタイプを問わず、公知の各種のＭＲＩ装置の形態を採用することができる。
【００２８】
傾斜磁場コイル３及びシムコイル４には、それぞれ傾斜磁場用電源１２及びシム用電源１３が接続され、これらにより電力が供給されることにより、被検体１が配置された空間に傾斜磁場および静磁場均一度を補正する磁場をそれぞれ印加する。送信コイル５には、高周波用電源（送信機）７から高周波電力パルスが供給され、送信コイル５から高周波磁場パルスが被検体１に照射される。受信コイル６は、被検体１が発生した核磁気共鳴信号を検出し、検出した信号は、受信機８を通して計算機９に送られる。なお、本実施形態では送信コイル５と受信コイル６とに別個のものを用いる場合を例にあげて説明するが、送信コイル５と受信コイル６との機能を兼用する１つのコイルで構成してもよい。
【００２９】
計算機９は、予め登録されているプログラム、または、ユーザからの指示に従って、受信機８を介して得た磁気共鳴信号に対して様々な演算処理を行ないスペクトル情報や画像情報を生成する。計算機９には、表示装置１０、記憶装置１１、シーケンス制御装置１４、および入力装置１５などが接続されている。表示装置１０は、計算機９が生成したスペクトル情報や画像情報をオペレータに表示するインタフェースである。入力装置１５は、計計測条件や演算処理に必要な条件、パラメータ等をオペレータが入力するためのインタフェースである。記憶装置１１には、計算機９が生成したスペクトル情報や画像情報、入力装置１５を介して入力された情報等が必要に応じて記録される。
【００３０】
シーケンス制御装置１４は、傾斜磁場用電源１２、シム用電源１３、高周波磁場用電源７及び受信機９の動作を制御し、傾斜磁場パルス、高周波磁場パルスの印加および核磁気共鳴信号の受信のタイミング、ならびに、印加量等を制御する。タイミングの制御は、撮像方法によって予め設定されているパルスシーケンスと呼ばれるタイムチャートに従って行う。使用するパルスシーケンスの選択、それぞれの印加量等の詳細な条件は、予めプログラムとして記憶装置１１に登録されるか、または、ユーザから入力装置１５を介して指示される。
【００３１】
つぎに、本実施形態の送信コイル５の構造例について説明する。本実施形態では、送信コイル５として、それぞれ独自に被検体１に高周波磁場（ＲＦ）を送信する複数のチャンネルを備えた多チャンネルコイルを用いる。上述した図２（ａ）の送信コイル５は、チャンネル５−１、５−２、５−３、５−４の４つのコイルが４チャンネルを構成している。この構成の送信コイル５を用いて、図２（ａ）のように配置された被検体１に対して高周波磁場パルスを照射した場合、被検体１の頭頂部側から見て、右上部はチャンネル５−１のコイルの発生する高周波磁場が支配的な領域となり、右下部はチャンネル５−２、左下部はチャンネル５−３、左上部はチャンネル５−４のコイルが各々発生する高周波磁場が支配的な領域となる。なお、チャンネル５−１、５−２、５−３、５−４の４つのコイルは、傾斜磁場コイル３と送信コイル５との間の磁場干渉を防止するＲＦシールド５−ｓにより覆われている。
【００３２】
図２（ｂ）は、４チャンネルの送信コイル５の別の例である。図２（ｂ）の送信コイル５は、チャンネル５−１ａ、５−１ｂ、５−１ｃ、５−１ｄが１チャンネル目（５−１）として同期して高周波磁場パルスを照射し、チャンネル５−２ａ、５−２ｂ、５−２ｃ、５−２ｄが２チャンネル目（５−２）、チャンネル５−３ａ、５−３ｂ、５−３ｃ、５−３ｄが３チャンネル目（５−３）、チャンネル５−４ａ、５−４ｂ、５−４ｃ、５−４ｄが４チャンネル目（５−４）として各々同期して高周波磁場パルスを照射するよう、それぞれ電源７から高周波電力パルスを動作を行う。この構成のコイルを用いて、例えば１チャンネル目（５−１）の５つのチャンネル５−１ａ、５−１ｂ、５−１ｃ、５−１ｄのコイルから同時に高周波磁場パルスを被検体１に照射した場合、各チャンネル５−１ａ、５−１ｂ、５−１ｃ、５−１ｄの発生する高周波磁場パルスが被検体１の全体に均等に照射される。
【００３３】
図２（ａ）、（ｂ）の両コイルとも、各チャンネルから送信される高周波磁場パルスの振幅および位相は、個々独立に計算機９により設定される。本実施形態の電源（送信機）７を構成する系統７−１〜７−４は、計算機９からの制御（シーケンス制御装置１４経由）に従って、各チャンネル５−１、５−２、５−３、５−４に独立に高周波電力パルスを送信する。この時、各チャンネル５−１、５−２、５−３、５−４に給電する高周波磁場電源７の系統７−１〜７−４は、少なくとも最大出力値が相互に影響を及ぼさない構造であるため、各系統７−１〜７−４のデューティ比や、デューティ比に応じた最大出力値は、系統ごとに独立に設定でき、最大出力値が表１のように制限を受ける際も系統ごとに独立に制限を受ける。
【００３４】
つぎに、本実施形態のＭＲＩ装置で実行するＣＥＳＴ用パルスシーケンスの一例を図５を用いて説明する。図５のパルスシーケンスの前半部分が、選択飽和を行う為のプリパルスシーケンス５１である。図５のプリパルスシーケンス５１は、パルス長３５ｍｓのガウス型パルス（選択飽和パルス）１５１を４０発連続的に照射する例を表している。このパルス長３５ｍｓのガウス型パルス１５１の励起帯域（半値幅）は０．５ｐｐｍ程度である。このプリパルスシーケンス５１を照射された被検体１のプロトンのうち、このガウス型パルス１５１の送信周波数を中心周波数とする帯域幅０．５ｐｐｍの帯域を共鳴周波数とするプロトンが共鳴状態となり、高周波磁場のエネルギーを吸収する。これによって、各プロトンが持つ上向きのスピンと下向きのスピンの比に変化が生じる。この選択飽和パルス（ガウス型パルス）１５１を多数照射して、プロトンが吸収するエネルギー量が或る一定量を越えた場合、各プロトンが持つ上向きのスピンと下向きのスピンの比が１となり、磁気共鳴信号を発生する巨視的磁化がゼロとなる（この選択飽和パルス１５１を照射された狭帯域に共鳴周波数が含まれるプロトンは完全な飽和状態になる）。ガウス型パルス１５１の送信周波数を、Ａｍｉｄｅ基（−ＮＨ）プロトンの共鳴周波数（平均値）である＋３．５  ｐｐｍに設定した場合、「Ａｍｉｄｅ基プロトン」が選択飽和パルス１５１が多数照射されることにより飽和状態になる。「Ａｍｉｄｅ基プロトン」と「通常の殆どのＭＲＩ信号を発生している水（自由水）に含まれるプロトン」との間では常時一定の割合（速度）でプロトン交換が生じているため、飽和状態にあるプロトンが水に含まれるプロトンに置き換わり、水から発生するＭＲＩ信号が減少する。この減少したＭＲＩ信号を、図５のパルスシーケンスの後半の計測用パルスシーケンス５２により計測する。図５のパルスシーケンスを、選択飽和パルス１５１の送信周波数を例えば＋６．０ｐｐｍから−６．０ｐｐｍまで０．５ｐｐｍ間隔で変化させながら繰り返す。
【００３５】
計測用パルスシーケンス５２は、通常のＭＲ像が計測可能なパルスシーケンスであれば何でもよく、基本的なパルスシーケンスであるスピンエコー法やグラジエントエコー法等を用いることができる。ただし、ＣＥＳＴイメージングでは上述のように選択飽和パルス１５１の送信周波数を少しづつ変化させて、その都度、図５のパルスシーケンス全体を行う必要があるため、計測用パルスシーケンス５２は、出来るだけ短い計測時間で画像を得られるパルスシーケンスであることが望ましい。例えば、１ショット２次元ファーストスピンエコー法や１ショット２次元エコープラナー法等の１ショットで画像計測が可能なパルスシーケンスを計測用パルスシーケンス５２として用いることができる。また、複数回計測を必要とするパルスシーケンスやマルチスライス用パルスシーケンス、３次元空間計測用パルスシーケンスを用いても構わない。
【００３６】
なお、上記プリパルスシーケンス５１としては、「パルス長が３５ｍｓで、波形種がガウス型の選択飽和パルス１５１で、照射数４０発」という具体的な数値や名称を挙げたが、多少でも飽和状態に近付けることが可能なプリパルスシーケンスであれば、パルス長や波形種や照射数を自由に選択して組み合わせることが可能である。
【００３７】
次に、ＣＥＳＴ用パルスシーケンスのプリパルスシーケンス５１において、選択飽和パルス１５１を多数照射する際の、チャンネル毎の出力について図３（ａ）〜（ｃ）を用いてさらに説明する。図３（ａ）〜（ｃ）はいずれも、図２（ａ），（ｂ）のような４チャンネル５−１〜５−４のコイルを用いてプリパルスシーケンス５１を実行する場合のパルスシーケンスを示している。図３（ａ）は比較例であり、４チャンネルに１つの系統の電源を接続し、全てのチャンネルに同時に高周波電力パルスを供給し、選択飽和パルスの同時照射を行う場合のパルスシーケンスを表している。図３（ｂ）は本実施形態のデューティ比を２０％程度に低減したプリパルスシーケンスである。図３（ｃ）は、デューティ比を５０％以下に低減しつつ、かつ、選択飽和パルス１５１の磁場分布の均一度を向上させたプリパルスシーケンスである。なお、図３（ａ）〜（ｃ）においては説明を分かり易くするために、選択飽和パルス１５１の波形としてガウス波の代わりに矩形波を用いる例を示している。また、電源７の各系統７−１〜７−４の最大出力が、デューティ比に依存して上述の表１のように制限を受けるため、選択飽和パルス１５１の出力も実際には時間経過とともに制限値（表１の最大出力値）まで徐々に低減するが、図３（ａ）〜（ｃ）では一定の高さのパルスとして表している。
【００３８】
比較例の図３（ａ）のパルスシーケンスは、４チャンネル５−１〜５−４の全てから常に同時に連続照射を行う構成である。このため、高周波磁場電源７のデューティ比は７０％等の高い比率となり、連続照射した場合には、最大出力値がデューティ比に応じて制限を受ける。例えば、電源７の性能が、上述した表１に示したものである場合、デューティ比７０％であるため、デューティ比１０％の場合の最大出力の７％の出力しか得られない。
【００３９】
これに対して、本実施形態の図３（ｂ）のパルスシーケンスでは、４チャンネル５−１〜５−４のコイルにそれぞれ系統７−１〜７−４を接続し、各チャンネルから順繰りに選択飽和パルス１５１を照射する。これにより、電源７の各系統７−１〜７−４のデューティ比を２０％程度の比較的低い比率とできるため、最大出力値による制限が緩和される。例えば、電源７の各系統７−１〜７−４の性能が、上述した表１に示したものである場合、デューティ比２０％であるため、デューティ比１０％の場合の最大出力の５０％の出力を得ることができる。
【００４０】
なお、図３（ｂ）のパルスシーケンスの場合、４チャンネル５−１〜５−４から順次選択飽和パルス１５１を照射するため、１回の照射で被検体１の全体に選択飽和パルス１５１を照射することはできず、４回の照射によってはじめて被検体１の全体に選択飽和パルス１５１を照射することになるが、ＣＥＳＴ用のプリパルスシーケンス５１としては問題ない。選択飽和パルス１５１が照射された領域のプロトンは、照射されたエネルギー量に応じた量のプロトンが飽和するため、飽和したプロトンが元に状態に戻る前に、すべてのプロトンを飽和させるのに十分な数（エネルギー）の選択飽和パルス１５１を照射できればよい。そのため、各チャンネルから順次選択飽和パルス１５１を照射しても、プリパルスシーケンス５１の間にすべてのプロトンを飽和させることができる。
【００４１】
通常のＭＲＩ計測時には、プロトンスピンの励起用高周波磁場および反転用高周波磁場の空間均一度を向上させる為、高周波磁場分布を正負の符号付き値で足し合わせた結果の標準偏差（もしくは、最大値と最小値など）を均一度指標として、所定値以上の均一度が得られるように高周波磁場パルスの振幅や位相を設定する。本実施形態のＣＥＳＴ用の選択飽和パルス１５１の場合、各選択飽和パルス１５１の高周波磁場分布の絶対値（二乗和の平方根）を足し合わせ、得られた絶対値和の標準偏差（もしくは、最大値と最小値など）を均一度指標として、所定値以上の均一度が得られるように、選択飽和パルス１５１の照射条件（振幅および位相の少なくとも一方）を設定すればよい。
【００４２】
また、本実施形態では、図３（ｂ）のように４チャンネルから順次選択飽和パルス１５１を送信するため、４回の照射を１セットと考えて、各照射時の高周波磁場分布の絶対値を足し合わせ、得られた絶対値和の標準偏差（もしくは、最大値と最小値など）を均一度指標として、選択飽和パルス１５１の照射条件（振幅および位相の少なくとも一方）の最適化を行うことにより、均一性をより向上させることが可能となる。
【００４３】
なお、図３（ｂ）の例では、４チャンネルから逐次送信を行う際に、「チャンネル１送信  →  チャンネル２送信  →  チャンネル３送信  →  チャンネル４送信  →  チャンネル１送信  →  ・・・」の様にチャンネル番号の順に送信を繰り返す場合について述べたが、チャンネル番号とは関係なく、コイル特性に応じた最適な順番で逐次送信を行っても良い。
【００４４】
一方、図３（ｃ）は、４チャンネル５−１〜５−４のコイルを用いて「チャンネル１＋チャンネル３」のセット１と「チャンネル２＋チャンネル４」のセット２をデューティ比５０％以下で交互送信するパルスシーケンスである。これにより、各系統７−１〜７−４をデューティ比５０％以下にしつつ、各セット内の２チャンネル間で振幅・位相の調整を行う事によってＲＦシミングを行うことができる。例えば、各セット内の２チャンネルから照射される高周波磁場分布の絶対値を足し合わせ、得られた絶対値和の標準偏差（もしくは、最大値と最小値など）等を均一度指標として、均一度の最適化（選択飽和パルスの振幅および位相の少なくも一方の調整）を行うことにより、均一性をより向上させることが可能となる。これにより、最大出力の低下を防ぎつつ、高周波磁場の空間均一度を改善することが可能となるため、ＣＥＳＴイメージングが実施される多くの高静磁場ＭＲＩ装置（例えば、静磁場強度３．０Ｔ）で生じやすい高周波磁場パルスの磁場の空間分布に起因するＣＥＳＴ信号の分布を抑制することができる。
【００４５】
つぎに、本実施形態のＭＲＩ装置において、ＣＥＳＴイメージングを行う場合の各部の動作を図６のフローチャートを用いて説明する。計算機９は、予め内蔵するメモリに格納されたプログラムを読み込んで実行することにより、図６のフローの動作を実現するように各部を制御する。まず、計算機９は、ＭＲＩ計測を行う操作者に対して、ＭＲＩ装置内に被検体１をセッティングするよう促す（ステップ６０１）。例えば、表示装置１０に被検体１のセッティングを促す表示をする。これにより、操作者が被検体１をセッティングしたならば、計算機９は、入力装置１５を介して、操作者から計測条件の設定を受け付ける。例えば、表示装置１０に図７に示すような表示画面を計算機９が表示し、操作者から計測シーケンスの種類を受け付ける。具体的には、ＳＥシーケンス、ＦＳＥシーケンス、ＣＥＳＴシーケンス等、受付可能なシーケンスを表示し、操作者による選択を計算機９が受け付ける。操作者が、計測シーケンスとしてＣＥＳＴを選択した場合には、一般的な計測パラメータの入力を受け付ける。さらに、計算機９は、必要に応じて、ＣＥＳＴ用選択飽和パルス１５１を送信する全チャンネル数や、選択飽和パルス１５１を送信する時のＲＦシミングの要否の選択を操作者から受け付ける（ステップ６０２）。
【００４６】
次に、操作者が計測ボタンをクリックしたことを計算機９が受け付けた場合（ステップ６０３）、計算機９は、シーケンス制御装置１４に前計測を実行させる（ステップ６０４）。この前計測には、ＣＥＳＴ用飽和選択パルス送信時の各チャンネルの送信条件（振幅・位相）を決定するのに必要な高周波磁場分布の計測が実施される。この前計測で得られた高周波磁場分布データ、選択飽和パルス１５１を送信する全チャンネル数およびＲＦシミングの要否等に基づき、計算機９は、ＣＥＳＴ用飽和パルス送信時の各チャンネルの送信条件（振幅・位相）を算出する（ステップ６０５）。この調整後の送信条件を計算機９はシーケンス制御装置１４に設定し、シーケンス制御装置がＣＥＳＴイメージングの本計測を実行する（ステップ６０６，６０７）。ＲＦシミングを行う場合、計算機（演算部）９は、高周波磁場パルスの高周波磁場分布から均一度指標を算出し、均一度指標に基づいて均一度が所定値以上になるように、高周波磁場パルスの振幅および位相の少なくとも一方を公知の手法により算出（最適化）する。
【００４７】
また、計算機９は、ステップ６０２において、操作者が所望するデューティ比の値または最大出力値の設定を操作者から受け付けてもよい。この場合、計算機（選択部）９は、ステップ６０２においてデューティ比の値を受け付けた場合には、ステップ６０５において、チャンネルに供給される高周波電力パルスのデューティ比が受け付けた値以下になるように、高周波電力パルスを供給するチャンネル数を設定（選択）する。また、計算機９は、ステップ６０２において最大出力値の設定を操作者から受け付けた場合には、予め内蔵するメモリに格納しておいた表１を参照して、設定された最大出力値に対応するデューティ比を求め、チャンネルに供給される高周波電力パルスのデューティ比が受け付けた値以下になるように、高周波電力パルスを供給するチャンネル数を設定（選択）すればよい。これにより、操作者が所望するデューティ比または最大出力で、ＣＥＳＴイメージングを行うことができる。
【００４８】
上記の例では、選択飽和パルス１５１にプリパルスシーケンス５１の後に、計測シーケンス５２として、通常のＭＲＩ計測を行う場合の例について述べたが、計測シーケンス５２として、ＭＲＳ（Magnetic Resonance Spectroscopy）やＭＲＳＩ（Magnetic Resonance Spectroscopic Imaging）、アンギオグラフィー等の計測を行っても良い。
【００４９】
また上記の例では、選択飽和パルス１５１を複数チャンネルを有する送信コイルで照射する構成について述べたが、４チャンネル交互送信のＲＦシミング等に関しては、疑似飽和用高周波磁場パルスを照射する撮像パルスシーケンス（例えば、Magnetic Resonance Spectroscopy法、Magnetic Resonance Spectroscopic Imaging法、Magnetization Transfer Magnetic Resonance Angiography法、Magnetic Resonance Decoupling法）に対しても適用することが可能である。
【００５０】
また上記の例では、複数チャンネルを有する送信コイルで照射する場合、磁場の均一度指標に関して、逐次照射（４チャンネル５−１〜５−４から順次選択飽和パルス１５１を照射すること）の際のチャンネル数と同数の高周波磁場分布を足し合わせる場合について述べたが、チャンネル数と異なる数の高周波磁場分布を足し合わせてもよい。例えば、４チャンネル逐次照射を行う際も、６回順繰りに繰り返す逐次照射を１セットと考えて、各照射時の高周波磁場分布の絶対値を足し合わせ、得られた絶対値和の標準偏差（もしくは、最大値と最小値など）を均一度指標として、所定値以上の均一度が得られるように選択飽和パルスの振幅および位相の少なくとも一方を設定することにより、均一性をより向上させることが可能となる。
【００５１】
上述してきたように、本実施形態によれば、送信コイルとして複数チャンネルを有する独立駆動型コイルを用いるＭＲＩ装置において、高周波磁場パルスを複数発連続的に送信する際に、最大出力を所定値以下に低下させることなく、実質連続照射を可能となる。
【００５２】
また本実施形態によれば、送信コイルとして４チャンネル以上を有するコイルを備えたＭＲＩ装置において、高周波磁場パルスを複数発連続的に送信する際に、図３（ｃ）のように２チャンネル以上をセットとして交互に照射もしくは順繰りに照射を行い、各セットの複数チャンネル間で高周波磁場の振幅・位相の調整を行うこと（ＲＦシミング）によって、高周波磁場の空間均一度を改善することが可能となる。
【００５３】
さらに本実施形態によれば、選択飽和パルスの空間均一度を向上させる際に、各チャンネルの高周波磁場分布の絶対値（二乗和の平方根）を足し合わせ、得られた絶対値和の標準偏差（もしくは、最大値と最小値など）を均一度指標として振幅および位相の少なくとも一方の設定を行うことにより、均一性をより向上させることが可能となる。４チャンネルからそれぞれ順番に送信を行う際も、４回の照射を１セットと考えて、各照射時の高周波磁場分布の絶対値を足し合わせ、得られた絶対値和の標準偏差（もしくは、最大値と最小値など）を均一度指標として最適化を行うことにより、均一性をより向上させることが可能となる。
【実施例】
【００５４】
静磁場強度３．０テスラのＭＲＩ装置上で、人体頭部を対象に、上記図５に示すＣＥＳＴパルスシーケンス（ＴＲ＝５０００ｍｓ、エコータイム＝６ｍｓ、マトリクス数＝１２８×１２８、エコー数：１２８エコー／ショット）を実行した際に得られた選択飽和パルス１５１の高周波磁場分布図をシミュレーションにより求めた。その結果を、図８に示す。
【００５５】
図８（ａ）は、比較例であり、送信コイル５として２チャンネル型コイルを用い、選択飽和パルス１５１を複数発連続的に送信する際に両チャンネルから同時照射した時の高周波磁場分布を表した画像である。選択飽和パルス１５１の振幅および位相の少なくとも一方を調整して高周波磁場分布の均一度の最適化を行う際の均一度指標として、「位相を考慮した和」の標準偏差を用いた場合、計測結果から算出される高周波磁場分布の標準偏差（ＵＳＤ）が０．１３０２であった。
【００５６】
図８（ｂ）は、比較例であり、送信コイル５として図２（ａ）の４チャンネル型コイルを用い、選択飽和パルス１５１を複数発連続的に送信する際に全チャンネルを、図３（ａ）のように、同時照射した時の高周波磁場分布を表した画像である。選択飽和パルス１５１の振幅および位相の少なくとも一方を調整して高周波磁場分布の均一度の最適化を行う際の均一度指標として、「位相を考慮した和」の標準偏差を用いた。計測結果から算出される高周波磁場分布の標準偏差が０．１１６２となり、２チャンネルコイルを使用した場合に比べ、均一度が向上する事が示されている。
【００５７】
図８（ｃ）は、送信コイル５として図２（ａ）の４チャンネル型コイルを用い、選択飽和パルス１５１を複数発連続的に送信する際に図３（ｃ）に示した２チャンネルずつの交互照射（４チャンネル交互照射と呼ぶ）を行った時の高周波磁場分布を表した画像である。選択飽和パルス１５１の振幅および位相の少なくとも一方を調整して高周波磁場分布の均一度の最適化を行う際の均一度指標として、「位相を考慮した和」の標準偏差を用いた。計測結果から算出される高周波磁場分布の標準偏差が０．１０３１となり、４チャンネル同時照射を行った場合に比べ、均一度が向上する事が示されている。
【００５８】
図８（ｄ）は、送信コイル５として図２（ａ）の４チャンネル型コイルを用い、選択飽和パルス１５１を複数発連続的に送信する際に図３（ｂ）に示した逐次照射を行った時の高周波磁場分布を表した画像である。選択飽和パルス１５１の振幅および位相の少なくとも一方を調整して高周波磁場分布の均一度の最適化を行う際の均一度指標として、「位相を考慮した和」の標準偏差を用いた。計測結果から算出される高周波磁場分布の標準偏差が０．０７７４となり、図８（ｃ）の４チャンネル交互照射を行った場合に比べ、均一度が向上する事が示されている。
【００５９】
図８（ｅ）は、送信コイル５として図２（ａ）の４チャンネル型コイルを用い、選択飽和パルス１５１を複数発連続的に送信する際に図３（ｃ）に示した２チャンネルずつの交互照射（４チャンネル交互照射）を行った時の高周波磁場分布を表した画像である。図８（ｃ）の場合とは異なり、選択飽和パルス１５１の振幅および位相の少なくとも一方を調整して高周波磁場分布の均一度の最適化を行う際の均一度指標として「絶対値での和」の標準偏差を用いた。計測結果から算出される高周波磁場分布の標準偏差が０．１０１２となり、均一度指標として「位相を考慮した和」の標準偏差を用いた図８（ｃ）の場合に比べ、僅かに均一度が向上する事が示されている。
【００６０】
図８（ｆ）は、送信コイルとして図２（ａ）の４チャンネル型コイルを用い、選択飽和パルス１５１を複数発連続的に送信する際に図３（ｂ）に示した逐次照射を行った時の高周波磁場分布を表した画像である。図８（ｄ）の場合とは異なり、選択飽和パルス１５１の振幅および位相の少なくとも一方を調整して高周波磁場分布の均一度の最適化を行う際の均一度指標として、「絶対値での和」の標準偏差を用いている。計測結果から算出される高周波磁場分布の標準偏差が０．０６２９となり、均一度指標として「位相を考慮した和」の標準偏差を用いた４チャンネル逐次照射を行った場合（図８（ｄ））に比べ、多少均一度が向上する事が示されている。
【００６１】
なお、上述したように、４チャンネル型コイルによる逐次照射を用いて、ＣＥＳＴパルスシーケンス（ＴＲ＝５０００ｍｓ、エコータイム＝６ｍｓ、マトリクス数＝１２８×１２８、エコー数：１２８エコー／ショット）を実行する図８（ｄ）、（ｆ）の場合（デューティ比２５％）の高周波磁場の実際の出力は、表１を参照すると、２チャンネル型コイルによる交互照射を行う図８（ａ）の場合（デューティ比５０％）に比べ、約３倍（すなわち約１０％から約３２％）に増大させることが可能となる。このため、選択飽和パルスの照射エネルギー（時間積分値）に比例するＣＥＳＴ信号（ＡＰＴ信号）も増加させることが可能となる。
【符号の説明】
【００６２】
１：被検体、２：静磁場コイル、３：傾斜磁場コイル、４：シムコイル、５：送信コイル、５−１〜５−４：チャンネル、５−ｓ：シールド、６：受信コイル、７：電源、７−１〜７−４：系統、８：受信機、９：計算機、１０：表示装置、１１：記憶装置、１２：傾斜磁場用電源、１３：シム用電源、１４：シーケンス制御装置、１５：入力装置、１００：ＭＲＩ装置、１５１：選択飽和パルス、５１：プリパルスシーケンス、５２：計測用パルスシーケンス、２００：ＭＲＩ装置、３００：ＭＲＩ装置、ＲＦ：高周波磁場、Ｇｚ：Ｚ軸方向の傾斜磁場、Ｇｙ：Ｙ軸方向の傾斜磁場、Ｇｘ：Ｘ軸方向の傾斜磁場、ＴＲ：繰り返し時間、Ａ／Ｄ：磁気共鳴信号を受信してＡ／Ｄ変換する時間。
【図１】
2018183292.tif 000004
【図２】
2018183292.tif 000005
【図３】
2018183292.tif 000006
【図４】
2018183292.tif 000007
【図５】
2018183292.tif 000008
【図６】
2018183292.tif 000009
【図７】
2018183292.tif 000010
【図８】
2018183292.tif 000011